【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置において、
前記第１又は前記第２の印字モード毎に画像形成の開始前と画像形成の終了時の前記画像形成装置内の前記画像形成手段が熱膨張を起こす部分の温度を測定する測定手段と、
前記測定手段による測定結果から各印字モード時の昇温量を算出する算出手段と、
前記算出された各印字モード時の昇温量から前記印字モード毎の色ずれ量を推定する推定手段とを備え、
前記色ずれ補正手段は、前記推定手段により推定された色ずれ量の合計が所定値を超えたときに色ずれ補正を実行することを特徴とする画像形成装置。
【請求項２】
前記推定手段は、前記各印字モード時の昇温量を色ずれ量に換算するための換算データにより前記色ずれ量を推定することを特徴とする請求項１記載の画像形成装置。
【請求項３】
単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置において、
前記各印字モード時の印字枚数を算出する算出手段と、
前記算出された各印字モード時の印字枚数から、前記各印字モード時の印字枚数を色ずれ量に換算するための換算データにより前記印字モード毎の色ずれ量を推定する推定手段とを備え、
前記色ずれ補正手段は、前記推定手段により推定された色ずれ量の合計が所定値を超えたときに色ずれ補正を実行することを特徴とする画像形成装置。
【請求項４】
単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置において、
前記各印字モード時の動作時間を算出する算出手段と、
前記算出された各印字モード時の動作時間から、前記各印字モード時の動作時間を色ずれ量に換算するための換算データにより前記印字モード毎の色ずれ量を推定する推定手段とを備え、
前記色ずれ補正手段は、前記推定手段により推定された色ずれ量の合計が所定値を超えたときに色ずれ補正を実行することを特徴とする画像形成装置。
【請求項５】
前記色ずれ補正手段は、前記色ずれ補正を実行した後の前記色ずれ量の合計値が前記所定値を超える毎に前記色ずれ補正を実行することを特徴とする請求項１乃至４のいずれか１項に記載の画像形成装置。
【請求項６】
前記色ずれ補正手段は、前記画像形成手段による画像形成の終了時若しくは開始前に前記色ずれ補正を実行することを特徴とする請求項１乃至５のいずれか１項に記載の画像形成装置。
【請求項７】
前記換算データには、換算テーブル及び換算式が含まれることを特徴とする請求項１乃至６のいずれか１項に記載の画像形成装置。
【請求項８】
前記第１の印字モードでの生産性が前記第２の印字モードよりも高いことを特徴とする請求項１乃至７のいずれか１項に記載の画像形成装置。
【請求項９】
単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置の色ずれ補正方法において、
前記第１又は前記第２の印字モード毎に画像形成の開始前と画像形成の終了時の前記画像形成装置内の前記画像形成手段が熱膨張を起こす部分の温度を測定する測定工程と、
前記測定工程における測定結果から各印字モード時の昇温量を算出する算出工程と、
前記算出された各印字モード時の昇温量から前記印字モード毎の色ずれ量を推定する推定工程と、
前記推定された色ずれ量の合計が所定値を超えたときに前記色ずれ補正手段が色ずれ補正を実行する色ずれ補正工程とを備えることを特徴とする画像形成装置の色ずれ補正方法。
【請求項１０】
前記推定工程は、前記各印字モード時の昇温量を色ずれ量に換算するための換算データにより前記色ずれ量を推定することを特徴とする請求項９記載の画像形成装置の色ずれ補正方法。
【請求項１１】
単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置の色ずれ補正方法において、
前記各印字モード時の印字枚数を算出する算出工程と、
前記算出された各印字モード時の印字枚数から、前記各印字モード時の印字枚数を色ずれ量に換算するための換算データにより前記印字モード毎の色ずれ量を推定する推定工程と、
前記推定された色ずれ量の合計が所定値を超えたときに前記色ずれ補正手段が色ずれ補正を実行する色ずれ補正工程とを備えることを特徴とする画像形成装置の色ずれ補正方法。
【請求項１２】
単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置の色ずれ補正方法において、
前記各印字モード時の動作時間を算出する算出工程と、
前記算出された各印字モード時の動作時間から、前記各印字モード時の印字枚数を色ずれ量に換算するための換算データにより前記印字モード毎の色ずれ量を推定する推定工程と、
前記推定された色ずれ量の合計が所定値を超えたときに前記色ずれ補正手段が色ずれ補正を実行する色ずれ補正工程とを備えることを特徴とする画像形成装置の色ずれ補正方法。
【請求項１３】
前記色ずれ補正工程は、前記色ずれ補正を実行した後の前記色ずれ量の合計値が前記所定値を超える毎に前記色ずれ補正を実行することを特徴とする請求項９乃至１２のいずれか１項に記載の画像形成装置の色ずれ補正方法。
【請求項１４】
前記色ずれ補正工程は、前記画像形成手段による画像形成の終了時若しくは開始前に前記色ずれ補正を実行することを特徴とする請求項９乃至１３のいずれか１項に記載の画像形成装置の色ずれ補正方法。
【請求項１５】
前記換算データには、換算テーブル及び換算式が含まれることを特徴とする請求項９乃至１４のいずれか１項に記載の画像形成装置の色ずれ補正方法。
【請求項１６】
前記第１の印字モードでの生産性が前記第２の印字モードよりも高いことを特徴とする請求項９乃至１５のいずれか１項に記載の画像形成装置の色ずれ補正方法。
【手続補正２】
【補正対象書類名】明細書
【補正対象項目名】００１５
【補正方法】変更
【補正の内容】
【００１５】
上記目的を達成するために、請求項１記載の画像形成装置は、単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置において、前記第１又は前記第２の印字モード毎に画像形成の開始前と画像形成の終了時の前記画像形成装置内の前記画像形成手段が熱膨張を起こす部分の温度を測定する測定手段と、前記測定手段による測定結果から各印字モード時の昇温量を算出する算出手段と、前記算出された各印字モード時の昇温量から前記印字モード毎の色ずれ量を推定する推定手段とを備え、前記色ずれ補正手段は、前記推定手段により推定された色ずれ量の合計が所定値を超えたときに色ずれ補正を実行することを特徴とする。
【手続補正３】
【補正対象書類名】明細書
【補正対象項目名】００１６
【補正方法】変更
【補正の内容】
【００１６】
上記目的を達成するために、請求項３記載の画像形成装置は、単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置において、前記各印字モード時の印字枚数を算出する算出手段と、前記算出された各印字モード時の印字枚数から、前記各印字モード時の印字枚数を色ずれ量に換算するための換算データにより前記印字モード毎の色ずれ量を推定する推定手段とを備え、前記色ずれ補正手段は、前記推定手段により推定された色ずれ量の合計が所定値を超えたときに色ずれ補正を実行することを特徴とする。
【手続補正４】
【補正対象書類名】明細書
【補正対象項目名】００１７
【補正方法】変更
【補正の内容】
【００１７】
上記目的を達成するために、請求項４記載の画像形成装置は、単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置において、前記各印字モード時の動作時間を算出する算出手段と、前記算出された各印字モード時の動作時間から、前記各印字モード時の動作時間を色ずれ量に換算するための換算データにより前記印字モード毎の色ずれ量を推定する推定手段とを備え、前記色ずれ補正手段は、前記推定手段により推定された色ずれ量の合計が所定値を超えたときに色ずれ補正を実行することを特徴とする。
【手続補正５】
【補正対象書類名】明細書
【補正対象項目名】００１８
【補正方法】変更
【補正の内容】
【００１８】
上記目的を達成するために、請求項９記載の画像形成装置の色ずれ補正方法は、単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置の色ずれ補正方法において、前記第１又は前記第２の印字モード毎に画像形成の開始前と画像形成の終了時の前記画像形成装置内の前記画像形成手段が熱膨張を起こす部分の温度を測定する測定工程と、前記測定工程における測定結果から各印字モード時の昇温量を算出する算出工程と、前記算出された各印字モード時の昇温量から前記印字モード毎の色ずれ量を推定する推定工程と、前記推定された色ずれ量の合計が所定値を超えたときに前記色ずれ補正手段が色ずれ補正を実行する色ずれ補正工程とを備えることを特徴とする。
【手続補正６】
【補正対象書類名】明細書
【補正対象項目名】００１９
【補正方法】変更
【補正の内容】
【００１９】
上記目的を達成するために、請求項１１の画像形成装置の色ずれ補正方法は、単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置の色ずれ補正方法において、前記各印字モード時の印字枚数を算出する算出工程と、前記算出された各印字モード時の印字枚数から、前記各印字モード時の印字枚数を色ずれ量に換算するための換算データにより前記印字モード毎の色ずれ量を推定する推定工程と、前記推定された色ずれ量の合計が所定値を超えたときに前記色ずれ補正手段が色ずれ補正を実行する色ずれ補正工程とを備えることを特徴とする。
【手続補正７】
【補正対象書類名】明細書
【補正対象項目名】００２０
【補正方法】変更
【補正の内容】
【００２０】
上記目的を達成するために、請求項１２の画像形成装置の色ずれ補正方法は、単色画像形成を行う第１の印字モード又は多色画像形成を行う第２の印字モードで画像形成を行う画像形成手段と、前記画像形成手段による画像形成時の色ずれを補正する色ずれ補正手段とを備える画像形成装置の色ずれ補正方法において、前記各印字モード時の動作時間を算出する算出工程と、前記算出された各印字モード時の動作時間から、前記各印字モード時の印字枚数を色ずれ量に換算するための換算データにより前記印字モード毎の色ずれ量を推定する推定工程と、前記推定された色ずれ量の合計が所定値を超えたときに前記色ずれ補正手段が色ずれ補正を実行する色ずれ補正工程とを備えることを特徴とする。
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】